(57)【要約】      （修正有）【課題】外部の衝撃や揺れに影響されないで軟組織などが定位置に固定できるようにするメッシュアセンブリー及びその製造方法を提供する。【解決手段】軟組織挙上のために、軟組織や人体組職に挿入されるメッシュ１０であって、軟組織や人体組職に挿入されて組職を支持するメッシュ、及びメッシュに設けられ、軟組織や人体内での結合力を向上させる固定部材２０を含み、固定部材の上部又は下部或いはこれらの両方に斜線方向に突出した係止部材３０をさらに含み、軟組織や人体内で堅固に固定できるので、外部の衝撃や揺れに影響されないで軟組織などが定位置に固定できるようにしたメッシュアセンブリー及びその製造方法。【選択図】図１
2016159145.tif 000002
【特許請求の範囲】
【請求項１】
メッシュ；
前記メッシュに固定され、糸からなる固定部材；
前記メッシュ及び前記固定部材が互いに固定された位置に設けられる係止部材；を含んでなることを特徴とする、メッシュアセンブリー。
【請求項２】
前記固定部材は、前記メッシュの上部と下部に交互にジグザグ状に結合されることを特徴とする、請求項１に記載のメッシュアセンブリー。
【請求項３】
前記係止部材は、前記固定部材の上部もしくは下部又はこれらの両方に設けられる複数の突起を含むことを特徴とする、請求項１に記載のメッシュアセンブリー。
【請求項４】
前記突起は、前記固定部材から一方向に突出していることを特徴とする、請求項３に記載のメッシュアセンブリー。
【請求項５】
前記係止部材は、前記固定部材に設けられる第１及び第２係止部、及び前記第１及び第２係止部の間に設けられる連結部を含んでなり、
前記突起は前記第１係止部と第２係止部に突設され、
前記第１及び第２係止部及び前記連結部は前記固定部材にそれぞれ一つ又は二つ以上設けられていることを特徴とする、請求項３に記載の医療用メッシュアセンブリー。
【請求項６】
前記固定部材は複数の溝を有し、
前記溝は、前記糸に斜めに形成される斜線部、及び前記斜線部の端部から伸び、糸の長手方向に形成される直線部を含んでなることを特徴とする、請求項４又は５に記載の医療用メッシュアセンブリー。
【請求項７】
前記固定部材の側面に平坦部をさらに含むことを特徴とする、請求項６に記載の医療用メッシュアセンブリー。
【請求項８】
前記メッシュは一つ又は複数の固定部材を含むことを特徴とする、請求項７に記載の医療用メッシュアセンブリー。
【請求項９】
前記メッシュアセンブリーを軟組織に挿入するための挿入器具をさらに含み、
前記挿入器具は、
軟組織に挿入される挿入部及び前記挿入部に連結される取っ手部を含むトロカール；並びに  前記トロカールに設けられ、前記挿入部が内挿する貫通部、及び前記貫通部に設けられ、前記トロカールに結合される結束部を含むカニューレ；を含んでなることを特徴とする、請求項１に記載の医療用メッシュアセンブリー。
【請求項１０】
前記カニューレの貫通部に内挿するニードルをさらに含み、
前記ニードルは、メッシュアセンブリーが軟組織に挿入できるように、メッシュアセンブリーが結合される結合孔をさらに含み、
前記ニードルの端部は、前記トロカールの挿入部の端部より尖っていることを特徴とする、請求項９に記載の医療用メッシュアセンブリー。
【請求項１１】
外面に係止部材が設けられる第１糸；
前記第１糸の後端に位置する第２糸；及び
前記第１糸及び第２糸の両者が内挿する空間部をなし、前記第１糸及び第２糸の両者を包むメッシュ；を含んでなり、
前記空間部は、前記第１糸が内挿する第１空間部、及び前記第２糸が内挿する第２空間部を含み、
前記第２糸の後端とメッシュの後端は互いに固定されて、切断可能な固定部が形成され、前記固定部の切断によって前記第２空間部から第２糸が離脱することを特徴とする、メッシュアセンブリー。
【請求項１２】
前記第１糸の係止部材は、一方向に斜めに突出している突起を含むことを特徴とする、請求項１１に記載のメッシュアセンブリー。
【請求項１３】
前記係止部材は、メッシュの外部に突出していることを特徴とする、請求項１２に記載のメッシュアセンブリー。
【請求項１４】
前記第１糸の係止部材が前記メッシュにかかることにより、前記メッシュから第１糸が離脱することを防止することを特徴とする、請求項１３に記載のメッシュアセンブリー。
【請求項１５】
前記第２糸の外面は平坦部からなることを特徴とする、請求項１１に記載のメッシュアセンブリー。
【請求項１６】
前記第１糸は複数の溝を含み、
前記溝は、前記第１糸に斜線に形成される斜線部、及び前記斜線部の端部から伸び、第１糸の長手方向に形成される直線部を含むことを特徴とする、請求項１２ないし請求項１５のいずれか一項に記載のメッシュアセンブリー。
【請求項１７】
メッシュ；前記メッシュに固定され、糸からなる固定部材；及び前記メッシュ及び前記固定部材が互いに固定された位置に設けられる係止部材；を含んでなるメッシュアセンブリーの製造方法であって、
前記メッシュ及び前記固定部材が固定された位置に係止部材を形成する加工段階；及び
前記加工段階で形成された係止部材をメッシュから突出させる突出段階；を含んでなることを特徴とする、メッシュアセンブリーの製造方法。
【請求項１８】
前記加工段階では、前記メッシュに厚肉部を形成し、前記メッシュ及び前記係止部材を一体に射出成形することを特徴とする、請求項１７に記載の医療用メッシュアセンブリーの製造方法。
【請求項１９】
メッシュ；前記メッシュに固定され、糸からなる固定部材；及び前記メッシュ及び前記固定部材が互いに固定された位置に設けられる係止部材；を含んでなるメッシュアセンブリーの製造方法であって、
メッシュに固定部材を接着する接着段階；
前記接着段階によってメッシュに固定された固定部材に係止部材を形成する加工段階；及び
前記加工段階で形成された係止部材を突出させる突出段階；を含んでなることを特徴とする、メッシュアセンブリーの製造方法。
【請求項２０】
前記接着段階は、前記固定部材をメッシュに融着させるプレスを用い、
前記プレスは、前記固定部材もしくはメッシュ又はこれら両者をドット（ｄｏｔ）方式で融着することを特徴とする、請求項１９に記載のメッシュアセンブリーの製造方法。
【請求項２１】
前記加工段階は、前記固定部材の上部もしくは下部又はこれらの両方に溝を形成して係止部材を形成することを特徴とする、請求項２０に記載のメッシュアセンブリーの製造方法。
【発明の詳細な説明】
【技術分野】
【０００１】
本発明は、軟組織挙上のために、軟組織や人体組職に挿入されるメッシュに係る。より詳しくは軟組織や人体組職に挿入されて組職を支持するメッシュ部材、及び前記メッシュ部材に設けられ、軟組織や人体内での結合力を向上させる固定部材を含み、固定部材の上部又は下部或いはこれらの両方に斜線方向に突出した係止部材をさらに含み、軟組織や人体内で堅固に固定できるので、外部の衝撃や揺れに影響されないで軟組織などが定位置に固定できるようにするメッシュアセンブリー及びその製造方法に関する。
【背景技術】
【０００２】
従来技術としては、大韓民国特許登録第１０−１３３７４６５号公報（特許文献１）に開示されている「整形手術用メッシュ結合体」がある。特許文献１は、身体の皮膚内部に挿入され、全部又は一部が前記皮膚組職と癒着し、全体として２次元平面を形成し、貫通孔が形成された網体、及び長糸の形態になり、前記網体を引っ張ることができるように前記貫通孔を通じて前記網体に締結された調節体を含んでなり、皮膚内部に挿入されて垂れた皮膚を膨張させてしわを緩和するための整形施術用メッシュ結合体を開示している。しかし、この従来技術は、皮膚内に挿入されて網体を形成することによって皮膚組職との癒着力を向上させることができるが、外部の揺れや衝撃によって癒着力が弱化して組職から分離されることがある問題点がある。
【０００３】
他の従来技術としては、大韓民国登録実用新案第２０−０４３１７２３号公報（特許文献２）に開示されている「尿失禁施術用メッシュ」がある。特許文献２は、メッシュが一定の幅を有する網状に形成されるとともに前記一定幅を有する網状のメッシュが複数結合されるメッシュ部を含み、前記メッシュ部には複数のメッシュの両側面を互いに連結して各メッシュを結合するとともに引っ張ることによって解けて前記各メッシュが互いに分離されるようにする分離紐が結合されたもので、各メッシュの両側面には複数の結合部が形成され、前記各メッシュの各結合部に位置する分離紐には引っ張ることで解けて前記各結合部から分離されるように結び目が形成される尿失禁施術用メッシュを開示している。しかし、この従来技術は、皮膚内に挿入されて皮膚組職などと癒着するメッシュに関するもので、接触面積を増加させて癒着力を増加させることができるが、メッシュが組職と癒着する前に振動や外部の衝撃によって施術位置から離脱するなどの問題が発生することができる。
【０００４】
さらに他の従来技術としては、大韓民国特許公開第１０−２０１１−０１２６１１８号公報（特許文献３）に開示されている「骨盤臓器脱出症の復元のためのインプラント」がある。特許文献３は、膣円蓋脱出症を含む多様な骨盤器官の脱出症を復元するためのもので、第１及び第２フィラメントからに形成された二重密度網を備えた第１カバー、第１フィラメントから形成された単一密度網を備えた第２カバー、及び第２フィラメントから形成された単一密度網を備えた第３カバーを含み、前記第１カバー、第２カバー、及び第３カバーは円弧をなし得る共通の交線を共有することができ、同一形状の網片を編んで形成可能な骨盤臓器脱出症の復元のためのインプラントを開示している。しかし、この従来技術は、複数の網を備えたフィラメントを重畳して臓器脱出症を治療するもので、第１及び第２フィラメントが癒着する前、外部の衝撃や振動によって前記インプラントを施術位置に正常に固定させることができない問題点がある。
【０００５】
また、さらに他の従来技術としては、大韓民国特許登録第１０−０５７７２９２号公報（特許文献４）に開示されている「陥没部位整形手術用人造挿入物の製造方法」がある。特許文献４は、陥没した部位に石膏及びシリコンを用いて患部の形状を実測して下部患部形状型を製作する工程と、下部患部形状型の陥没部上にワックス及びパラフィンを塗布する工程と、前記下部患部形状型に対応する上部患部形状型を製作する工程と、上下部患部形状型の製造後、ワックス及びパラフィンを除去して下部患部形状型に陥没部を形成する工程と、固形化させる工程とを含んでなる陥没部位整形手術用人造挿入物の製造方法を開示している。
【０００６】
さらに他の従来技術としては、大韓民国特許登録第１０−０９６１６７９号公報（特許文献５）に開示されている「液状型シリコンを用いた陥没部位整形手術用人造挿入物の製造方法」がある。特許文献５は、患者の陥没部に対する組職（皮膚）及び形態特性と硬度特性をそのまま具現しながら陥没部の正確な矯正が可能であるだけでなく、液状型シリコンの固形化過程で発生する気泡の生成を脱泡過程によって防止することにより、製品の品質を向上させるとともに、製作された人造挿入物の挿入後には患者の細胞組職が育って予め成形された通孔に進入して、保形物が陥没部に正確に定着することができるようにして別の固定用プレート又は固定用糸のようなものを用いた付加の工数が省略して煩わしい作業の作業性が改善する液状型シリコンを用いた陥没部位整形手術用人造挿入物の製造方法を開示している。しかし、この従来技術は、患者の陥没した患部に挿入するための人造挿入物を製造するもので、液状のシリコンで人造挿入物を成形するから、人体組職との拒否反応によって炎症が発生することができ、使用者が異物感を強く感じることができ、陥没程度によって互いに異なる人造挿入物を製作することによってコストが増加し、人造挿入物の成形時間が長くかかるという問題点がある。
【先行技術文献】
【特許文献】
【０００７】
【特許文献１】大韓民国特許登録第１０−１３３７４６５号公報
【特許文献２】大韓民国登録実用新案第２０−０４３１７２３号公報
【特許文献３】大韓民国特許公開第１０−２０１１−０１２６１１８号公報
【特許文献４】大韓民国特許登録第１０−０５７７２９２号公報
【特許文献５】大韓民国特許登録第１０−０９６１６７９号公報
【発明の概要】
【発明が解決しようとする課題】
【０００８】
したがって、本発明は、前記問題を解決するためになされたもので、メッシュアセンブリーにおいて、軟組織挙上などの施術のために組職を支持するメッシュ、及び前記メッシュに設けられ、メッシュと軟組織を固定する固定部材、及び癒着力を向上させるために設けられる係止部材によって、メッシュが施術しようとする位置に正常に位置することができるようにするメッシュアセンブリーを提供することをその目的とする。
【０００９】
また、前記固定部材を糸から形成する場合、人体に無害になり、製造工程を簡素化することができ、前記係止部材を前記固定部材の上部又は下部或いはこれらの両方に設けられる突起から構成し、前記突起がメッシュの上下面で組職との癒着力を極大化させ、堅固に固定維持されるメッシュアセンブリーを提供することを他の目的とする。
【００１０】
また、前記突起を前記固定部材から一方向に斜めに維持することによって組職との固定をさらに堅固にすることができ、前記固定部材に溝を含み、前記溝は糸の直径の１０％以上かつ４０％以下にして、過大な溝によって固定部材が切られるとか、過小な溝によって突起が突出しない問題を解決することをさらに他の目的とする。
【００１１】
また、組職の大きさ、又は施術しようとする方法によってメッシュに一つ又は複数の固定部材を備えて組織を支持する力を調節することができるメッシュアセンブリーを提供することをさらに他の目的とする。
【００１２】
また、本発明は、まずメッシュに固定部材を接着させる接着段階と、接着段階を経た固定部材に溝を形成して係止部材を形成する加工段階とを順次実施することにより、固定部材の上部又は下部又はこれら両方の正確な位置に係止部材を形成することができるだけでなく、前記加工段階で係止部材を形成した後、接着段階で固定部材をメッシュに固定することができるようにするメッシュアセンブリーの製造方法を提供することをさらに他の目的とする。
【００１３】
また、係止部材が設けられた第１糸、及び係止部材が設けられていない第２糸の両者が内挿するメッシュを含むことによって、前記メッシュの内部に第１及び第２空間部を備えて皮下組織を膨脹させることができるようにするメッシュアセンブリーを提供することをさらに他の目的とする。
【００１４】
また、前記第２糸の外周面は平坦部からなり、人体組職内で第２糸のみメッシュから離脱させて、施術後に結び目を堅固に作ることができ、前記第１糸の係止部材がメッシュの外部に突出して接触する人体組職との摩擦力を増加させることで、軟組織挙上及び施術後にメッシュが施術位置に正確に固定されるメッシュアセンブリーを提供することをさらに他の目的とする。
【課題を解決するための手段】
【００１５】
前記のような目的を達成するために、本発明に係るメッシュアセンブリーは、
メッシュ；前記メッシュに設けられる固定部材；及び前記固定部材の外面に設けられる係止部材；を含んでなり、
前記固定部材は糸からなり、
前記係止部材は前記固定部材の上部もしくは下部又はこれらの両方に設けられる複数の突起からなり、
前記突起は、前記固定部材から一方向に突出していることを特徴とする。
【００１６】
また、本発明に係るメッシュアセンブリーは、
外面に係止部材が設けられる第１糸；前記第１糸の後端に位置する第２糸；及び前記第１糸及び第２糸の両者が内挿する空間部をなし、前記第１糸及び第２糸の両者を包むメッシュ；を含んでなり、
前記空間部は、前記第１糸が内挿する第１空間部、及び前記第２糸が内挿する第２空間部を含み、
前記第２糸の外周面は平坦部からなり、
前記第２糸の後端とメッシュの後端は互いに固定され、切断可能な固定部が形成され、
切断によって前記第２空間部から第２糸が離脱することを他の特徴とする。
【発明の効果】
【００１７】
以上のように、本発明に係るメッシュアセンブリーは、軟組織挙上などの施術のために軟組織を支持するメッシュ、及び前記メッシュに設けられ、係止部材が形成される固定部材を含み、係止部材によって体内組職との癒着力を増加させて施術位置に正確に固定することができ、前記固定部材を糸から形成することにより、体内に無害であり、合併症の発生を最小化し、製造コストを節減することができ、
前記係止部材が固定部材の上部もしくは下部又はこれらの両方に設けられる複数の突起からなり、前記突起は固定部材から一方向に突出することにより組職内で支持力を確保することができ、前記メッシュが組職を堅固に支えるようにし、メッシュに一つ又は複数の固定部材を含むことにより、組職の大きさによって一層高い支持力を確保する効果がある。
【００１８】
また、メッシュと固定部材を接着する接着段階、及び前記接着段階を経た固定部材に溝を生成して係止部材を形成する加工段階を順次行うことによって、固定部材の上部又は下部に正確に係止部材を形成するとともに、固定部材とメッシュの接着によって発生し得る係止部材の撓みや破損の問題を事前に防止することができる効果がある。
【００１９】
また、他の実施例によれば、係止部材が設けられる第１糸、及び係止部材が形成されず、外面が平坦部からなる第２糸の両者が内挿する空間部をなすメッシュによって、患者の患部、特に皮下組織に挿入されて、垂れた皮膚を挙上し、皺がある部分に選択的にボリュームの感じを与えることができ、前記メッシュを円筒状に構成することによって組織内側成長（Ｔｉｓｓｕｅ ｉｎｇｒｏｗｔｈ；メッシュ内に組職が成長して満たされる）現象によって皮膚の弾力を復元することができる効果がある。
【００２０】
また、糸からなることにより、従来のシリコンからなった保形物を挿入する場合より人体組職との拒否反応による炎症の発生を予め防止し、第１糸に設けられる係止部材によって人体組職との決着力を向上させ、正確に治療部位に挿入できるようにして、施術の安全性及び成功率を高めることができる。
【００２１】
また、第２糸がメッシュから離脱することにより、施術後に固定のために人体組職から突出する部分に結び目を作る場合、既存技術では糸で縛る場合に容易に切れるとの問題を、柔らかいメッシュで縛ることによって解決することができ、堅固に固定することができる効果がある。
【図面の簡単な説明】
【００２２】
【図１】本発明に係るメッシュアセンブリーの第１実施例の斜視図である。
【図２】本発明に係るメッシュアセンブリーの第１実施例の平面図である。
【図３】本発明に係るメッシュアセンブリーの第１実施例の側面図である。
【図４】本発明に係るメッシュアセンブリーの第２実施例の側面図である。
【図５】本発明に係るメッシュアセンブリーの第２実施例の平面図である。
【図６】本発明に係るメッシュアセンブリーの第３実施例の平面図である。
【図７】本発明に係るメッシュアセンブリーの第４実施例の平面図である。
【図８】本発明に係るメッシュアセンブリーの第４実施例の側面図である。
【図９】本発明に係るメッシュアセンブリーの第５実施例の斜視図である。
【図１０】本発明に係るメッシュアセンブリーの製造方法の工程を表す図である。
【図１１】本発明に係るメッシュアセンブリーの製造方法の工程を表す図である。
【図１２】本発明に係るメッシュアセンブリーの製造方法の工程を表す図である。
【図１３】本発明に係る挿入器具の斜視図である。
【図１４】本発明に係る挿入器具の分解斜視図である。
【図１５】本発明に係る挿入器具を用いるメッシュアセンブリーの第１方法を示す概略図である。
【図１６】本発明に係る挿入器具を用いるメッシュアセンブリーの第１方法を示す概略図である。
【図１７】本発明に係る挿入器具を用いるメッシュアセンブリーの第１方法を示す概略図である。
【図１８】本発明に係る挿入器具を用いるメッシュアセンブリーの第１方法を示す概略図である。
【図１９】本発明に係るメッシュアセンブリーの第６実施例の側面図である。
【図２０】本発明に係るメッシュアセンブリーの第６実施例の側面図である。
【図２１】本発明に係るメッシュアセンブリーの第６実施例の側面図である。
【図２２】本発明に係るメッシュアセンブリーの第７実施例の側面図である。
【図２３】本発明に係るメッシュアセンブリーの施術工程のブロック図である。
【図２４】本発明に係るメッシュアセンブリーの施術のためのカニューレの斜視図である。
【図２５】本発明に係るメッシュアセンブリーの施術工程の概略図である。
【図２６】本発明に係るメッシュアセンブリーの施術工程の概略図である。
【図２７】本発明に係るメッシュアセンブリーの施術工程の概略図である。
【図２８】本発明に係るメッシュアセンブリーの施術工程の概略図である。
【図２９】本発明に係るメッシュアセンブリーの施術工程の概略図である。
【図３０】本発明に係るメッシュアセンブリーの施術工程の概略図である。
【図３１】本発明に係るメッシュアセンブリーの施術工程の概略図である。
【図３２】本発明に係るメッシュアセンブリーの施術工程の概略図である。
【図３３】本発明に係るメッシュアセンブリーの施術工程の概略図である。
【図３４】本発明に係るメッシュアセンブリーの施術工程の概略図である。
【図３５】本発明に係るメッシュアセンブリーの施術工程の概略図である。
【図３６】本発明に係るメッシュアセンブリーの施術工程の概略図である。
【発明を実施するための形態】
【００２３】
以下、添付図面に基づいて本発明を詳細に説明する。本発明は多様な変更を加えることができ、いろいろの形態を持つことができる。これから、具現例（態様、ａｓｐｅｃｔ）又は実施例を、以下の本文に詳細に説明する。しかし、これは本発明を特定の開示形態に限定しようとするものではなく、本発明は、本発明の思想及び技術範囲に含まれるすべての変更、均等物ないし代替物を含むものに理解しなければならない。
【００２４】
各図において同一の参照符号、特に十の桁及び一の桁、又は十の桁、一の桁及びアルファベットが同じな参照符号は同一又は類似の機能を持つ部材を示し、特に言及がない場合、図面の各参照符号が指称する部材はこのような基準に準ずる部材に把握すれば良い。また、各図において、構成要素は理解の便宜上大きさや厚さを誇張して大きく（又は厚く）あるいは小さく（又は薄く）表現するとか単純化して表現しているが、これによって本発明の保護範囲が制限されて解釈されない。
【００２５】
本明細書で使用した用語はただ特定の具現例（態様、ａｓｐｅｃｔ）又は実施例を説明するために使用されたもので、本発明を限定しようとする意図ではない。単数の表現は文脈上特に明記しない限り、複数の表現を含む。本出願において、「含む」又は「なる」などの用語は明細書上に記載された特徴、数字、段階、動作、構成要素、部品又はこれらの組合せが存在することを指定しようとするものであり、一つ又はそれ以上の他の特徴、数字、段階、動作、構成要素、部品又はこれらの組合せの存在又は付加の可能性を予め排除しないものに理解されなければならない。
【００２６】
特に定義がない限り、技術的ないし科学的な用語を含み、ここで使われるすべての用語は本発明が属する技術分野で通常の知識を持つ者によって一般的に理解されるものと同一の意味を持っている。一般的に使われる辞書に定義されているもののような用語は関連技術が文脈上持つ意味と一致する意味を持つものに解釈されなければならず、本出願において明らかに定義しない限り、理想的なあるいは過度に形式的な意味に解釈されない。
【００２７】
まず、図１〜図３に示すように、本発明に係る医療用メッシュアセンブリーＰは、メッシュ１０、前記メッシュ１０に設けられる固定部材２０、及び前記固定部材２０の外面に形成される係止部材３０を含んでなる。本発明は、図１〜図３に示したように、軟組織を支持するメッシュ１０に固定部材２０をさらに備え、前記固定部材２０の外面に軟組織との癒着力を増加させて堅固に固定することができ、メッシュ１０に支持力を付与することができる係止部材３０をさらに含んでいる。まず、図１〜図３は第１実施例を示すものである。
【００２８】
前記メッシュ１０は人体に無害な素材からなる。より詳細に、前記メッシュ１０は人体に無害なポリプロピレン（Ｐｏｌｙｐｒｏｐｙｌｅｎｅ）から成形でき、場合によっては金、ステンレス及びポリジオキサノン（Ｐｏｌｙｄｉｏｘａｎｏｎｅ）、ＰＧＡ、ＰＧＬＡ、ＰＤＯなどのように体内で溶けることができる溶解性素材からなり、メッシュ１０と結合する固定部材２０も溶解性素材からなることが好ましい。
【００２９】
また、前記メッシュ１０は、組職を包んで支持するもので、組職との接触面積を増加させて組職を均一に支持することができる網状構造となることが好ましく、施術に際しては、図６に示したように、前記メッシュ１０の揺れを防止するために、メッシュ１０と臓器を糸２０’などで縫着する決着部１１３をさらに含むことが好ましい。
【００３０】
また、図２及び図３に示すように、前記メッシュ１０には固定部材２０がさらに設けられており、前記固定部材２０は糸２０’からなり、前記固定部材２０の外面には係止部材３０がさらに設けられている。より詳細に、前記固定部材２０は、前記メッシュ１０に設けられており、前記固定部材２０とメッシュ１０は、体内に無害な接着剤などを用いる方法や、メッシュ１０や固定部材２０を溶かして結合する方法等で固定することが好ましい。
【００３１】
前記糸２０’の外周面には係止部材３０がさらに設けられている。また、前記係止部材３０は前記固定部材２０の上部もしくは下部又はこれらの両方に設けられる複数の突起３０’からなり、前記突起３０’は固定部材２０から一方向に斜めに突出することを特徴とする。より具体的に説明すれば、図２及び図３の一点鎖線で示したように、前記固定部材２０の外周面に形成される突起３０’は、前記固定部材２０、つまり糸２０’の外周面の上部もしくは下部又はこれらの両方に設けることができ、別に加工して糸２０’に付着するとか、糸２０’に切り込みを入れて形成することも可能である。また、前記糸２０’の表面に切り込みを入れると、所定深みの溝２１が形成され、この溝２１に隣り合う糸２０’の一部が外部に突出して突起３０’が自然に形成される。この方法を使う場合には、糸２０’の外に他の材料を使う必要なしに突起３０’を形成することができる。
【００３２】
この溝２１の深みは糸２０’の直径の１０％以上かつ４０％以下のものが好ましい。溝２１の深みが糸２０’の直径の４０％より大きくなれば糸２０’が切れる危険があり、溝２１の深みが糸２０’の直径の１０％より小さくなれば突起３０’が充分に突出しなくて体内組職内での固定効果が低下する問題が考えられるからである。
【００３３】
また、前記突起３０’は糸２０’の両側に対向する位置に形成することもできるが、この場合も溝２１によって糸２０’が切れる危険があるから、突起３０’は糸２０’の上下面に交互にジグザグ状に設けられることが好ましい。
【００３４】
さらに、前記糸２０’に溝２１を形成する場合には、前記溝２１に斜めに切り込みを入れることで、糸２０’に斜めに斜線部Ａを形成し、ついで刃を水平にして斜線部Ａの端部で糸の長手方向と同一方向に直線部Ｂを形成する。その後、刃を立てることで、前記突起３０’を自然に外部に突出させるように構成することが好ましい。この場合、糸の厚さを維持することができるので、溝２１によって糸２０’が切れる問題を解決することができる。
【００３５】
また、前記固定部材２０は前記メッシュ１０の上下面に複数設けられることができる。これは、前記メッシュ１０の一側に固定部材２０が結合される場合、メッシュ１０と密着した面上の突起３０’がメッシュ１０に厚さによって外部に突出しないことを解決するためのもので、前記メッシュ１０の上下側に固定部材２０を含むことで、本発明に係る医療用メッシュアセンブリーの両側に突起３０’を形成することで、組職との結合力を向上させることができる。
【００３６】
また、前記固定部材２０には上部もしくは下部又はこれらの両方に突起３０’からなる係止部材３０が設けられるが、前記係止部材３０が固定部材２０の上部もしくは下部又はこれらの両方に設けられることにより、前記固定部材２０の両側面には係止部材３０が設けられていない平坦部２３が形成される。したがって、前記固定部材２０が結合されるメッシュ１０を軟組織や人体内に挿入する場合、従来技術では四方に不規則に設けられた突起３０’によって、挿入時に摩擦力などが増加して施術を難くする問題があったが、固定部材２０の両側に設けられた平坦部２３によって軟組織や人体内に挿入し易くなるので、施術時間を縮めるとともに、固定部材２０の上下に設けられた係止部材３０によって定位置に堅固に固定できるようになる。
【００３７】
図４〜図６は本発明に係る第２実施例及び第３実施例を示す。前記係止部材３０は、固定部材２０に設けられる第１及び第２係止部３１、３３、及び前記第１及び第２係止部３１、３３の間に設けられる連結部３５からなり、前記突起３０’は、前記第１係止部３１と第２係止部３３にそれぞれ連結部３５の方向に斜めに突設されている。より詳細に、図４〜図６に示したように、前記係止部材３０は前記固定部材２０の外面に設けられている。前記係止部材３０は、前記固定部材２０の中央に設けられる連結部３５、及び前記連結部３５の両側にそれぞれ設けられる第１及び第２係止部３１、３３からなっている。
【００３８】
この際、前記第１及び第２係止部３１、３３には斜めに突出した突起３０’がそれぞれ設けられている。前記突起３０’はそれぞれ連結部３５に向かって斜めに設けられ、互いに見合う形状になっている。したがって、メッシュ１０に支持部１１が設けられて組職を支持し、前記支持部１１に連結されて周辺組職に癒着することができる支え部１３に固定部材２０が設けられ、前記係止部材３０が、固定部材２０の中央に設けられた連結部３５を中心に互いに対向して斜めに突出する突起３０’によって組職に前記固定部材２０が癒着する場合、互いに反対方向に突出した係止部材３０によって組職に揺れなしに堅固に固定できる。これにより、組職を支持する支持部１１が堅固に組職を支持することで、軟組織挙上術などの施術を効果的に行えるようにする。
【００３９】
また、前記第１及び第２係止部３１、３３と連結部は単一メッシュ１０に複数設けられることができ、前記第１及び第２係止部３１、３３の突起３０’は連結部の方向に、又はその反対方向に、又は互いに異なる方向に突出することができる。これは組職内で施術する方法及び施術過程によって多様に構成することが好ましい。
【００４０】
また、図５に示したように、前記メッシュ１０には一つ又は複数の固定部材２０をさらに含むことができる。施術しようとする組職の部位が広い場合には支持力が高くなければならない。このために、前記メッシュ１０には二つ以上の複数の固定部材２０を連続して配列して組職との癒着力を増加させ、これにより支持部１１に強い支持力を維持することで、より堅固に固定して広い部位の軟組織挙上術を施術することができるようにする。
【００４１】
また、図７及び図８はさらに他の第４実施例を示すもので、前記係止部材３０は前記メッシュ１０に直接加工されている。より詳細に、図７に示したように、前記メッシュ１０の上部又は下部には外部に突出する複数の係止部材３０が直接成形されている。これにより、固定部材２０の有無に関係なくメッシュ１０のみ施術部位に直接挿入することができるので、製造コストを節減し、固定部材２０がメッシュ１０から分離される問題点を事前に防止することができる。また、図８に示したように、前記係止部材３０が設けられた固定部材２０をメッシュに固定させる場合、前記固定部材２０を前記メッシュ１０の上部と下部に交互にジグザグ状に結合することもできる。これにより、メッシュ１０の上下部の両方に係止部材３０が突出して組職内で堅固に固定できるようにする。
【００４２】
また、図９は第５実施例を示すもので、前記メッシュ１０に係止部材３０を直接成形する場合、メッシュ１０の厚さが薄くてメッシュ１０が切れる危険がある。これを解決するために、前記メッシュ１０を射出成形するに際して、厚肉部１０−１を形成するように射出成形して、メッシュ１０の中央部に沿って突出した構造に形成することができる。したがって、前記厚肉部１０−１に前記係止部材３０が一体に形成されることにより、メッシュ１０が切れる問題を事前に防止することができる。前記厚肉部１０−１は、図面に示したように、メッシュ１０の中央に沿って形成することが好ましいが、中央又は一側に複数形成することもでき、これによって権利範囲を制限して解釈してはいけない。
【００４３】
また、本発明に係る第１〜第５実施例のメッシュアセンブリーＰを製作するためには、前記メッシュ１０に固定部材２０を接着させるために、まず前記固定部材２０に刀などの道具で溝２１を形成し、その溝２１によって突起３０’を形成した後、さらにメッシュ１０に固定部材２０を接着することで、メッシュアセンブリーＰを製作する方法が考えられる。しかし、この場合、メッシュ１０に接着された固定部材２０の上部もしくは下部又はこれらの両方に正確に突起３０’が形成されない問題点が発生することが有り得る。したがって、本発明に係る医療用メッシュアセンブリーＰを製造する方法として、図１０〜図１２に示したように、メッシュ１０に固定部材を先に接着する接着段階１００、及び前記接着段階１００によってなされたメッシュ１０に接着された固定部材２０に係止部材３０を形成する加工段階２００を含み、前記加工段階２００によって形成された係止部材３０を外部に突出させるための突出段階３００をさらに含むことにより、前記加工段階２００で形成された係止部材３０が前記固定部材２０の外部に突設させる方法を挙げることができる。
【００４４】
また、従来の技術と同様に、前記加工段階２００によって係止部材３０を形成し、係止部材が形成された固定部材２０をメッシュ１０に接着する方法も本発明の権利範囲に含まれる。
【００４５】
また、前記加工段階２００及び突出段階３００は順次進むことが好ましいが、前記加工段階２００によって溝２１を形成し、ここで自然に刃を除去すると同時に突出段階３００を進めることも可能である。
【００４６】
また、前記固定部材２０を含まない場合には、前記接着段階１００を含まず、前記メッシュ１０に係止部材を形成する加工段階２００及び前記加工段階で形成された係止部材３０を突出させる突出段階３００のみで、本発明に係る医療用メッシュアセンブリーを製作することができる。
【００４７】
また、図面には示されていないが、前記固定部材２０を前記メッシュ１０に接着するためにプレスが設けられている。前記プレスには、前記固定部材２０に設けられた係止部材３０の位置に対応する位置に装着溝が設けられ、前記装着溝と装着溝の間に溶着部が設けられている。前記メッシュ１０に固定部材２０を位置させ、前記プレスで加圧して融着させることで、前記固定部材２０をメッシュ１０に接着させる。この場合、前記固定部材２０の全体を融着しないでドット方式で区間別に融着することで、固定部材２０が結合されたメッシュ１０が柔軟性を維持するようにして使用の便宜性を向上させることができ、前記プレスで固定部材２０をメッシュ１０に融着する過程で、前記プレスは前記固定部材２０又はメッシュ１０、あるいはこれらの両方を熱で溶融させて固定部材２０とメッシュ１０を互いに堅固に融着させることが好ましい。
【００４８】
より具体的には、前記加工段階２００では、刀などの切断道具を用いて前記固定部材２０の上部もしくは下部又はこれらの両方に正確に溝２１を形成することによって自然に係止部材３０を形成する。この場合、前記固定部材２０の側面には係止部材３０、つまり突起３０’が形成されていない平坦部２３を形成して、身体内に容易に挿入できるようにする。また、この場合には、前記のように係止部材３０が形成された固定部材２０を前記メッシュ１０に接着するときに発生し得る係止部材３０の破損、撓みなどの問題を事前に解決することができるので、作業容易性を向上させることができる。
【００４９】
また、図１３及び図１４に示したように、本発明に係るメッシュアセンブリーは、前記メッシュアセンブリーＰを軟組織に挿入するための挿入器具１００をさらに含んでいる。前記挿入器具１００は、軟組織に挿入されるトロカール１１０、カニューレ１２０及びニードル１３０を含んでなる。
【００５０】
より詳細に、前記トロカール１１０は、軟組織に挿入される挿入部１１１と前記挿入部１１１に連結される取っ手部１１４を含んでなる。前記トロカール１１０の挿入部１１１は、軟組織を貫くために端部が尖っている侵入部１１１Ａをさらに含む。前記侵入部１１１Ａによって、軟組織内を貫通して挿入して、後述するメッシュアセンブリーＰを挿入することができるように軟組織内に通路を形成することになる。
【００５１】
この際、前記メッシュアセンブリーＰの挿入をもっと円滑にするために、軟組織内の通路を維持することができるカニューレ１２０をさらに用いる。前記カニューレ１２０は、前記トロカール１１０の挿入部１１１が内挿する貫通部１２１、及び前記貫通部１２１に設けられ、前記トロカール１１０の取っ手部１１４に結合できる結束部１２３を含んでなる。したがって、カニューレ１２０が結合されたトロカール１１０が軟組織内に挿入された後、前記トロカール１１０が抜け出ると、軟組織内に前記カニューレ１２０が位置して、メッシュアセンブリーＰを容易に挿入することができる。
【００５２】
この際、前記トロカール１１０の侵入部１１１Ａが突出することができるように、前記トロカール１１０の挿入部１１１は前記カニューレ１２０の貫通部１２１より長く形成され、貫通部１２１の端部からトロカール１１０の侵入部１１１Ａが突出して軟組織を容易に貫くようにする。
【００５３】
また、図１５〜図１８に示したように、前記挿入器具１００を用いて施術する段階について具体的に説明すれば、まず施術しようとする軟組織に前記カニューレ１２０が結合されたトロカール１１０を挿入し、この挿入された状態で前記トロカール１１０を除去することになる。この際、前記カニューレ１２０は軟組織内に位置して、メッシュアセンブリーＰの挿入が容易にする。
【００５４】
前記軟組織に挿入されたカニューレ１２０に、前記メッシュアセンブリーＰを挿入する。この時、メッシュアセンブリーＰが結合されているニードル１３０がカニューレ１２０に挿入される。前記ニードル１３０の端部ＰＡを鋭く形成することにより、カニューレ１２０を貫いたニードルの端部ＰＡが軟組織にメッシュアセンブリーＰを結束することができるようになるので、前記ニードルの端部ＰＡは前記トロカール１１０の端部１１１Ａより鋭く構成することが好ましい。
【００５５】
また、前記ニードル１３０にメッシュアセンブリーＰを結合するために、前記ニードル１３０の端部には結合孔１３１がさらに設けられている。よって、メッシュアセンブリーＰが前記ニードル１３０の端部の前記結合孔１３１にかかり、前記カニューレ１２０をニードル１３０が貫くことにより、メッシュアセンブリーＰがカニューレ１２０の内部に位置するようにする。また、前記メッシュアセンブリーＰはカニューレ１２０を貫いておよそ１ｃｍ程度突出するように位置させることが好ましいが、これは施術方法及び位置によって多様に変えることがより好ましい。
【００５６】
また、前記メッシュアセンブリーＰが施術位置に位置した後、前記ニードル１３０を除去し、前記カニューレ１２０を除去することで、メッシュアセンブリーＰのみが軟組織内に位置するようにする。したがって、挿入器具１００によって、軟組織内に、メッシュアセンブリーＰをより容易で便利に挿入することができるようにして、施術時間を縮め、施術を簡便で正確に行えるようになる。
【００５７】
まず、本発明に係るメッシュアセンブリーＰは、図１９〜図２１に示した第６実施例のように、係止部材３０が設けられた第１糸２１、前記第１糸２１の後端に位置し、外部に係止部材３０が設けられないで平坦部２３が形成された第２糸２５、及び前記第１糸２１及び第２糸２５の両方が内挿される空間部４１が形成されて、前記第１糸２１及び第２糸２５の両方を包むメッシュ４０を含んでなる。前記空間部４１は、前記第１糸２１が内挿する第１空間部４１１、及び前記第２糸２５が内挿する第２空間部４１３に区分できる。
【００５８】
より詳細に、前記メッシュ４０は、人体に無害な素材からなり、垂れた皮膚と皺がある部分の組職の内部で垂れた皮膚と皺がある皮膚を支持するもので、組職との接触面積を増加させて組職を均一に支持することができる網構造となることが好ましい。前記メッシュ４０については後により詳細に説明する。
【００５９】
本発明に係るメッシュアセンブリーＰは第１糸２１及び第２糸２５を含んでいる。前記第１糸２１の外面には係止部材３０が設けられ、前記第１糸２１の後端には第２糸２５が位置する。より詳細に、前記第１糸２１は第１空間部４１１に、第２糸２５は第２空間部４１３に内挿され、前記第１糸２１の外周面には係止部材３０が設けられている。また、前記係止部材３０は、前記第１糸２１の外面に複数の突起３０’からなり、前記突起３０’は前記第１糸２１から一方向に斜めに突出することを特徴とする。
【００６０】
図１９に示したように、第１糸２１がメッシュ４０の内部に位置する場合、メッシュ４０の孔を通じて前記第１糸２１の突起３０’が突出する。この場合、突起３０’と接するメッシュ４０の上端部Ｋ１は、突起３０’がそれ以上突出しないように突起３０’の上から押し付ける役目をし、前記突起３０’の下部に接する部分Ｋ２は、前記突起３０’の下端を支持して突起３０’を押し上げることにより自然に突起３０’がメッシュ４０の外部に突出できるようにしている。
【００６１】
また、前記メッシュ４０に第１糸２１を入れる場合、第１糸２１はメッシュ４０の右側から挿入した後、反対方向に一度引くことで、突起３０’をメッシュ４０の外部に突出させる。この時、前記第１糸２１をメッシュ４０に挿入した後、第１糸２１の左側端部をメッシュ４０の左側端部４７にシーリングなどの方法で固定させた後、第１糸２１を反対方向に引っぱることによって突起３０’をメッシュ４０の外部に突出させることができる。
【００６２】
また、本発明に係るメッシュアセンブリーＰは、垂れた皮膚、皺がある部分の患部内に又は美容上の理由で軟組織内に内挿されて人体細胞の垂れた皮膚や皺がある部位を復元するとか拡大するためにメッシュ４０を含む。より詳細に、前記メッシュ４０は、円筒状になり、内部に第１糸２１が内挿する第１空間部４１１、及び第２糸２５が内挿する第２空間部４１３をなすことになる。すなわち、このような第１及び第２空間部４１３によってメッシュ４０は内部に一定ボリュームをなし、このように形成されたボリュームによって垂れた皮膚や皺ばんだ患部に合わせて調節することで、垂れた皮膚や皺ばんだ部位を再び膨脹させる施術を行うことになる。
【００６３】
また、前記メッシュ４０に設けられた網に沿って前記係止部材３０が外部に突出することができるようになっているので、軟組織との吸着力を高めて正確に患部に挙上及び固定できる。さらに、前記メッシュを円筒状に構成することにより、組織内側成長（Ｔｉｓｓｕｅ ｉｎｇｒｏｗｔｈ；メッシュ内に組職が成長して満たされる）現象によって皮膚の弾力を復元することができる効果がある。
【００６４】
また、一点鎖線内に示したように、前記第１糸２１と第２糸２５は互いに離隔して分離されることが好ましいが、前記第１糸２１と第２糸２５の間に第１糸２１と第２糸２５の直径より小さな延長部Ｒが設けられて両者を互いにに連結するように構成することもできる。したがって、前記第２糸２５を第１糸２１から分離する場合、直径が小さく構成された延長部Ｒが容易に切断されるので、第２糸２５を第１糸２１から容易に分離することができる。このような構成の場合には、前記第２糸２５の紛失を防止し、施術の便宜性を一層向上させることができる効果がある。
【００６５】
図２２は本発明に係るメッシュアセンブリーの第７実施例を示すものである。図２２に示したように、第１糸２１は、第１−１糸２１−１及び前記第１−２糸２１−２を含んでなることができ、前記第１−１糸２１−１と第１−２糸２１−２の突起３０’の方向は互いに反対方向に形成されることが好ましい。この際、説明の便宜上、メッシュ４０の左側に位置する第１糸２１を第１−１糸２１−１に定義するとき、前記第１−１糸２１−１の左側端部とメッシュ４０の左側端部４７’は互いにシーリングなどの固定方法で固定されることが好ましく、第１糸２１を突起方向が互いに異なる第１−１糸２１−１と第１−２糸２１−２から構成することによって組職との吸着力を一層向上させることができる。
【００６６】
また、前記第１糸２１を第１−１糸２１−１と第１−２糸２１−２に区分し、前記第１−１糸２１−１の突起方向を第１−２糸２１−２の突起方向の反対に左側に斜めに突出するように構成することにより（図２２参照）、第１−１糸２１−１の左側をメッシュ４０に熱処理などによってシーリングする場合、シーリング部位が組職内から離れるとか分離される場合においても、左側に斜めに突出した突起によって第１−１糸２１−１がメッシュ４０に堅固に固定されることによって糸１０とメッシュ４０が分離されることを防止することができる効果も持つ。
【００６７】
また、図１９〜図２１に示したように、本発明に係るメッシュアセンブリーＰは、第２糸２５をさらに含む。前記第２糸２５は前記第１糸２１の後端（人体組職に挿入される端部を前端とする）に位置し、第２糸２５の外面には、前記第１糸２１のように係止部材３０が設けられずに、平坦部２３が形成されることにより、前記メッシュ４０の第２空間部４１３から離脱できるようになっている。より詳細に、前記メッシュ４０には、第１糸２１が内挿する第１空間部４１１、前記第１空間部４１１の後端に第２糸２５が内挿する第２空間部４１３が形成され、前記第２空間部４１３に第２糸２５が挿入され、結果的に前記第１糸２１の後端に第２糸２５が位置することになる。
【００６８】
前記第２糸２５は、前記メッシュ４０が人体組職内に挿入される場合、前記第２空間部４１３から離脱できるように、外面に係止部材３０、つまり突起３０’のない平坦部２３が形成されている。すなわち、前記施術の完了後、前記メッシュ４０に結び目を作る場合、第２糸２５により結び目が容易に作られないことを防止するためのもので、第２糸２５を除去することにより、メッシュ４０のみが残って軟性が増加して、結び目が堅固に作られることができるようになる。
【００６９】
この際、メッシュアセンブリーＰの挿入に際して、第２糸２５が挿入中にメッシュ４０から離脱することを防止するために、前記第２糸２５の後端とメッシュ４０の後端が互いに固定される固定部２７が形成される。固定部２７では加熱などによって互いに接着することが好ましい。また、このような固定部２７は、メッシュアセンブリーＰを人体組職に挿入した後、はさみ、ナイフなどで切断することによって除去され、固定部２７が除去された第２糸２５はメッシュ４０の第２空間部４１３から自由に離脱できるようになる。
【００７０】
また、図２４は本発明に係るメッシュアセンブリーＰを施術するときに使われる挿入器具１００を示すものである。より詳細に、前記挿入器具１００は、軟組織に挿入されるトロカール１１０及びカニューレ１２０を含んでなる。前記トロカール１１０は、軟組織に挿入される挿入部１１１、及び前記挿入部１１１に連結される取っ手部１１４を含んでなる。前記トロカール１１０の挿入部１１１は、軟組織を貫くために端部が尖っている侵入部をさらに含む。前記侵入部によって軟組織内で軟組織内に挿入して後述するメッシュアセンブリーＰが挿入できるように通路を形成することになる。
【００７１】
この際、前記メッシュアセンブリーＰの挿入をより円滑にするために、軟組織内の通路を維持することができるカニューレ１２０をさらに含む。前記カニューレ１２０は、前記トロカール１１０の挿入部１１１を内挿する貫通部１２１、及び前記貫通部１２１に設けられ、前記トロカール１１０の取っ手部１１４に結合できる結束部１２３からなる。したがって、カニューレ１２０が結合されたトロカール１１０が軟組織内に挿入された後、前記トロカール１１０を抜くと、軟組織内に前記カニューレ１２０が位置してメッシュアセンブリーＰの挿入を誘導することができる。
【００７２】
この際、前記トロカール１１０の侵入部が突出することができるように、前記トロカール１１０の挿入部１１１は前記カニューレ１２０の貫通部１２１より長く形成され、貫通部１２１の端部からトロカール１１０の侵入部が突出するので、軟組織を容易に貫くことができる。
【００７３】
このような挿入器具１００によって本発明に係るメッシュアセンブリーＰを施術することになる。このような施術についてより詳細に説明する。
【００７４】
図２３はメッシュアセンブリーＰを用いる施術方法のブロック図を示し、図２５〜図３６は施術方法の実施工程を示す概略図を示す。施術は図２５〜図３６の順に進む。
【００７５】
まず、施術しようとする第１地点Ｐ１の位置に前記挿入器具１００を挿入し、トロカール１１０を除去することで、カニューレ１２０が通路を形成する第１工程（Ｔ１）を行う。このような第１工程（Ｔ１）でカニューレ１２０によって形成された通路に本発明に係るメッシュアセンブリーＰを挿入する第２工程（Ｔ２）を経て、前記メッシュアセンブリーＰが挿入された状態でメッシュアセンブリーＰの端部を支持して固定した後、カニューレ１２０を除去する第３工程（Ｔ３）を行う。また、第１地点Ｐ１に隣り合う第２地点Ｐ２にも第１地点Ｐ１と同様な方法でメッシュアセンブリーＰを挿入させることで、第１地点Ｐ１と第２地点Ｐ２にメッシュアセンブリーＰが挿入されるように構成する。
【００７６】
このように構成されたメッシュアセンブリーＰの後端部の固定部２７を切断することで、前記メッシュ４０と第２糸２５が第２空間部４１３から自由に離脱するようにする第４工程（Ｔ４）を行う。この際、切断にはナイフやはさみなどを用いることになる。
【００７７】
その後、前記メッシュ４０を掴み、第２糸２５を突出させて第２空間部４１３から第２糸２５を除去することで、第１地点Ｐ１及び第２地点Ｐ２に設けられるメッシュアセンブリーＰには第１糸２１のみ内挿することができるようにする第５工程（Ｔ５）を行う。また、このような第１〜第５工程（Ｔ１）、（Ｔ２）、（Ｔ３）、（Ｔ４）、（Ｔ５）は第１地点Ｐ１及び第２地点Ｐ２で同一に行われる。
【００７８】
このような施術が完了した後、前記メッシュアセンブリーＰの端部に結び目を作ることになる。この際、従来に使われる筋膜貫通器具によって第１地点Ｐ１のメッシュ４０を筋膜を通じて第２地点Ｐ２に移動させることで、メッシュアセンブリーＰが堅固に人体組職内に固定できるようにする第６工程（Ｔ６）を行う。このような筋膜貫通器具は従来使われる公知の器具なので、その説明は省略する。
【００７９】
結果的に、第２地点Ｐ２から突出する二つのメッシュアセンブリーＰを互いに縛って結び目を作る第７工程（Ｔ７）を行って施術を完了することで、人体組職内の皺がある部分や陥没した部位にボリュームを形成して復元する施術を進めることができる。
【００８０】
以上のような本発明の説明において、添付図面に基づいて特定の形状及び構造を持つラインガイド及び釣り用リールを主に説明したが、本発明は当業者によって多様な修正、変形及び置換が可能であり、このような修正、変形及び置換は本発明の保護範囲に属するものに解釈されなければならない。
【産業上の利用可能性】
【００８１】
本発明は、外部の衝撃や揺れに影響されないで軟組織などが定位置に固定できるようにするメッシュアセンブリーに適用可能である。
【符号の説明】
【００８２】
１０        メッシュ
１１        支持部
１３        支え部
１１３      決着部
２０        固定部材
２０’      糸
３０        係止部材
３０’      突起
３１        第１係止部
３３        第２係止部
３５        連結部
２１        溝
２３        平坦部
１００      接着段階
２００      加工段階
１００      挿入器具
１１０      トロカール
１１１      挿入部
１１４      取っ手部
１２０      カニューレ
１２１      貫通部
１２３      結束部
１３０      ニードル
１３１      結合孔
２１        第１糸
２５        第２糸
２７        固定部
４０        メッシュ
４１        空間部
４１１      第１空間部
４１３      第２空間部
Ｐ          メッシュアセンブリー
Ｐ１        第１地点
Ｐ２        第２地点
Ｔ１〜Ｔ７    第１〜第７工程
【図１】
2016159145.tif 000003
【図２】
2016159145.tif 000004
【図３】
2016159145.tif 000005
【図４】
2016159145.tif 000006
【図５】
2016159145.tif 000007
【図６】
2016159145.tif 000008
【図７】
2016159145.tif 000009
【図８】
2016159145.tif 000010
【図９】
2016159145.tif 000011
【図１０】
2016159145.tif 000012
【図１１】
2016159145.tif 000013
【図１２】
2016159145.tif 000014
【図１３】
2016159145.tif 000015
【図１４】
2016159145.tif 000016
【図１５】
2016159145.tif 000017
【図１６】
2016159145.tif 000018
【図１７】
2016159145.tif 000019
【図１８】
2016159145.tif 000020
【図１９】
2016159145.tif 000021
【図２０】
2016159145.tif 000022
【図２１】
2016159145.tif 000023
【図２２】
2016159145.tif 000024
【図２３】
2016159145.tif 000025
【図２４】
2016159145.tif 000026
【図２５】
2016159145.tif 000027
【図２６】
2016159145.tif 000028
【図２７】
2016159145.tif 000029
【図２８】
2016159145.tif 000030
【図２９】
2016159145.tif 000031
【図３０】
2016159145.tif 000032
【図３１】
2016159145.tif 000033
【図３２】
2016159145.tif 000034
【図３３】
2016159145.tif 000035
【図３４】
2016159145.tif 000036
【図３５】
2016159145.tif 000037
【図３６】
2016159145.tif 000038